(57)【要約】 【課題】    より広い範囲でネットワーク上における利便性の向上をはかった表示装置を提供する。【解決手段】  テレビジョン受像機１０自身が存在する第１の１３９４ネットワーク５１上の第１のＩＥＥＥ１３９４バス４１でバスリセットが起き、テレビジョン受像機１０が同じ第１の１３９４ネットワーク５１上に第２の１３９４ネットワーク５２と通信可能な第１の通信機３１の存在を確認した場合、第１の通信機３１から第１のＩＥＥＥ１３９４バス４１に実際又は仮想的に接続されている１３９４機器３１，２１〜２３の機器情報を取得する。【選択図】  図２
2007049231.tif 000002
【特許請求の範囲】
【請求項１】
ＩＥＥＥ１３９４インタフェースを備えた表示装置であって、
自身が接続されているＩＥＥＥ１３９４ネットワークに接続され、別のＩＥＥＥ１３９４ネットワークに接続されている外部機器それぞれとして自身に対して振舞う通信機から、自身の接続されているＩＥＥＥ１３９４ネットワーク及び別のＩＥＥＥ１３９４ネットワークに接続されている外部機器それぞれの機器情報を取得する機器情報取得手段と、
該機器情報取得手段が取得した機器情報を格納する接続機器情報記憶手段と
を備えていることを特徴とする表示装置。
【請求項２】
ＩＥＥＥ１３９４インタフェースを備えた表示装置であって、
自身が接続されているＩＥＥＥ１３９４ネットワークに接続され、別のＩＥＥＥ１３９４ネットワークに接続されている外部機器それぞれとして自身に対して振舞う通信機から、自身の接続されているＩＥＥＥ１３９４ネットワーク及び別のＩＥＥＥ１３９４ネットワークに接続されている外部機器それぞれの機器情報を取得する機器情報取得手段と、
該機器情報取得手段が取得した機器情報を格納する接続機器情報記憶手段と、
該接続機器情報記憶手段に記憶されている機器情報を用いてＯＳＤを生成するＯＳＤ合成手段と
を備えていることを特徴とする表示装置。
【請求項３】
前記機器情報取得手段は、
自身が接続されているＩＥＥＥ１３９４ネットワークに、別のＩＥＥＥ１３９４ネットワークに接続されている通信機と通信可能な通信機が接続されているか否かを認識する認識手段と、
該認識手段が自身が接続されているＩＥＥＥ１３９４ネットワークにおける通信機の存在を認識したならば、当該通信機に対して自身の接続されているＩＥＥＥ１３９４ネットワーク及び別のＩＥＥＥ１３９４ネットワークに接続されている外部機器それぞれの機器情報の提供を、自身の接続されているＩＥＥＥ１３９４ネットワークを介して要求する機器情報提供要求手段と、
当該通信機から供給される自身の接続されているＩＥＥＥ１３９４ネットワーク及び別のＩＥＥＥ１３９４ネットワークに接続されている外部機器それぞれの機器情報を、自身の接続されているＩＥＥＥ１３９４ネットワークを介して受信する機器情報受信手段と
を備えていることを特徴とする請求項１又は２記載の表示装置。
【発明の詳細な説明】
【技術分野】
【０００１】
本発明は、ＩＥＥＥ１３９４ネットワークに接続可能な、ＩＥＥＥ１３９４インタフェースを備えた表示装置に関する。
【背景技術】
【０００２】
家庭用のＡＶ機器（例えば、テレビジョン受像機，ＤＶＤ記録再生機，デジタルビデオ記録再生機，ＨＤＤレコーダ，等といった視聴覚（Audio & Visual）機器）間をデジタルデータ伝送接続するための標準インタフェースとして、ＩＥＥＥ（Institute of Electrical and Electronics Engineers）１３９４が注目されている。
【０００３】
また、このＩＥＥＥ１３９４インタフェースを有するＡＶ機器、いわゆる１３９４機器（ｉ.ＬＩＮＫ機器）を接続して構成した１３９４ネットワーク間を、例えばWireless１３９４や１３９４over８０２.１１等といった別の通信方式によって接続することによって、家庭内等におけるより広い範囲で１３９４機器のネットワークを構築しようという試みも行なわれている。
【０００４】
このような試みに関して、特開２００４−２８２５０１号公報には、１３９４ネットワークが複数存在し、各１３９４ネットワーク間がイーサネットや無線ＬＡＮ等といった、１３９４以外の規格・仕様によるデータ伝送方式で接続されているネットワーク全体において、このネットワーク全体を１つの１３９４ネットワークと見なそうとした場合に、ある１３９４ネットワークでその接続されている１３９４機器のノードＩＤやトポロジー構成の変化が生じた場合には、その変化を他の１３９４ネットワークに通知することによって、各１３９４ネットワークが常に最新の情報により他の１３９４ネットワークに接続されている１３９４機器のトポロジー構成を仮想的に実現できるようにした、複数の１３９４ネットワーク間での機器管理方法が示されている。
【０００５】
一方、テレビジョン受像機の表示器は、テレビジョン放送の受信映像以外のＤＶＤ，ビデオ等といった外部ＡＶ機器の出力映像の表示器としても利用されるために、１乃至複数の外部映像入力（ビデオ入力）が備えられている。そのため、テレビジョン受像機は、自身のリモコン操作器を操作して、テレビジョン放送の受信映像と、１乃至複数のビデオ入力にそれぞれ供給される外部ＡＶ機器からのＡＶ映像とを切換表示できる構成になっている。具体的には、テレビジョン受像機は、そのリモコン操作器による入力切替操作により、例えば「ＴＶ（テレビジョン）→ビデオ１→ビデオ２」といった具合に、テレビジョン放送の受信映像や各ビデオ入力に供給される外部ＡＶ機器からのＡＶ映像を切り替えて、表示器から表示出力できる構成になっている。
【０００６】
【特許文献１】特開２００４−２８２５０１号公報
【発明の開示】
【発明が解決しようとする課題】
【０００７】
ところで、上述したテレビジョン受像機や、例えば、表示用モニター，パソコン，携帯電話端末装置，ＰＤＡ（携帯型情報端末装置）といった表示手段を有したＡＶ機器のように、ＩＥＥＥ１３９４インタフェースを有し、１３９４ネットワークに接続可能な１３９４機器としての表示装置では、自身に直接接続されている外部ＡＶ機器や、自身が接続されている１３９４ネットワークに同じく接続されている１３９４機器としての外部ＡＶ機器については、表示装置自身に備えられたビデオインタフェースやＩＥＥＥ１３９４インタフェースを介して、その接続状況を把握することができる。しかし、自身が接続されている１３９４ネットワークとネットワーク接続された他の１３９４ネットワークに接続されている外部ＡＶ機器（１３９４機器）については、表示装置は自身に備えられたＩＥＥＥ１３９４インタフェースを介して、その接続状況等を把握することができない。
【０００８】
このため、ユーザが表示装置のリモコン操作部を操作してその表示器から表示出力させる外部ＡＶ機器を切り替えしようとしても、表示装置自身が接続されている１３９４ネットワークとは別の、他の１３９４ネットワークに接続されている外部ＡＶ機器（ｉ.ＬＩＮＫ機器）については、当該他の１３９４ネットワークの送信機と１３９４以外の規格・仕様によるデータ伝送方式で接続されている自ネットワークの受信機の操作によって確認できるだけであった。その結果、他の１３９４ネットワークに接続されている外部ＡＶ機器を確認する場合は、この受信機の操作によって他の１３９４ネットワークに接続されている外部ＡＶ機器を確認して切り替えることしかできなかった。
【０００９】
そのため、家庭内における１３９４ネットワーク間を、例えばワイヤレス（Wireless）１３９４や１３９４over８０２.１１等といった別の通信方式によって接続し、より広い範囲でＡＶ機器（ｉ.ＬＩＮＫ機器）のネットワークを構築しても、例えば、ＩＥＥＥ１３９４インタフェースを備えた表示装置としてのテレビジョン受像機からでは、テレビジョン受像機自身が接続されている自ネットワークとは別の１３９４ネットワークに接続されている外部ＡＶ機器（ｉ.ＬＩＮＫ機器）を直接確認することができず、別の１３９４ネットワークの送信機又は送受信機と接続された自ネットワークにおける受信機又は送受信機を操作して確認するしかなく、より広い範囲でネットワークとしての利便性を十分に活かしきれていなかった。
【００１０】
本発明は、上述したような問題点を鑑みてなされたものであって、自身の接続されている１３９４ネットワークに実際又は仮想的に接続されている外部ＡＶ機器それぞれの機器情報を取得することができるようにして、より広い範囲でネットワーク上における利便性の向上をはかった表示装置を提供することをその目的とする。
【００１１】
さらに具体的には、本発明は、自身の接続されている１３９４ネットワークに実際又は仮想的に接続されている外部ＡＶ機器の中から所望の外部ＡＶ機器を簡単に選択でき、かつ操作することができる表示装置を提供することを目的とする。
【課題を解決するための手段】
【００１２】
上記した課題を解決するために、本発明の表示装置は、ＩＥＥＥ１３９４インタフェースを備えた表示装置であって、自身が接続されているＩＥＥＥ１３９４ネットワークに接続され、別のＩＥＥＥ１３９４ネットワークに接続されている外部機器それぞれとして自身に対して振舞う通信機から、自身の接続されているＩＥＥＥ１３９４ネットワーク及び別のＩＥＥＥ１３９４ネットワークに接続されている外部機器それぞれの機器情報を取得する機器情報取得手段と、機器情報取得手段が取得した機器情報を格納する接続機器情報記憶手段とを備えていることを特徴とする。
【００１３】
また、本発明の表示装置は、ＩＥＥＥ１３９４インタフェースを備えた表示装置であって、自身が接続されているＩＥＥＥ１３９４ネットワークに接続され、別のＩＥＥＥ１３９４ネットワークに接続されている外部機器それぞれとして自身に対して振舞う通信機から、自身の接続されているＩＥＥＥ１３９４ネットワーク及び別のＩＥＥＥ１３９４ネットワークに接続されている外部機器それぞれの機器情報を取得する機器情報取得手段と、機器情報取得手段が取得した機器情報を格納する接続機器情報記憶手段と、接続機器情報記憶手段に記憶されている機器情報を用いてＯＳＤを生成するＯＳＤ合成手段とを備えていることを特徴とする。
【００１４】
また、その機器情報取得手段は、自身が接続されているＩＥＥＥ１３９４ネットワークに、別のＩＥＥＥ１３９４ネットワークに接続されている通信機と通信可能な通信機が接続されているか否かを認識する認識手段と、認識手段が自身が接続されているＩＥＥＥ１３９４ネットワークにおける通信機の存在を認識したならば、当該通信機に対して自身の接続されているＩＥＥＥ１３９４ネットワーク及び別のＩＥＥＥ１３９４ネットワークに接続されている外部機器それぞれの機器情報の提供を、自身の接続されているＩＥＥＥ１３９４ネットワークを介して要求する機器情報提供要求手段と、当該通信機から供給される自身の接続されているＩＥＥＥ１３９４ネットワーク及び別のＩＥＥＥ１３９４ネットワークに接続されている外部機器それぞれの機器情報を、自身の接続されているＩＥＥＥ１３９４ネットワークを介して受信する機器情報受信手段とを備えていることを特徴とする。
【発明の効果】
【００１５】
本発明によれば、ＩＥＥＥ１３９４インタフェースを備えた表示装置が取得した各機器の機器情報に基づいて、表示装置自身が接続されている１３９４ネットワーク上の外部ＡＶ機器、及び表示装置自身が接続されている１３９４ネットワークとは通信機を介して接続されている別の１３９４ネットワーク上の外部ＡＶ機器の中から、所望の外部ＡＶ機器を、表示装置に備えられている外部映像入力に直接接続した外部ＡＶ機器の中から所望の外部ＡＶ機器を選択する場合と同じようにして、容易かつ的確に選択し、操作することができる。
【００１６】
さらに、その選択、及び操作も、表示装置自身がもともと内蔵しているＧＵＩ画面合成手段を利用するため、表示装置自身が接続されている１３９４ネットワークと表示装置自身が接続されていない別の１３９４ネットワークとの間を通信接続する通信機に、操作部及びディスプレイや、表示装置に伝送するＡＶ情報にＯＳＤ（On Screen Display）を重畳するための構成を追加しなくても済む。
【００１７】
さらにまた、ＡＶ出力機器としての表示装置を一の１３９４ネットワーク上に接続するだけで、当該一の１３９４ネットワークと通信接続可能な別の１３９４ネットワーク上に接続されている外部ＡＶ機器を選択、操作することができ、所望の出力場所で所望の外部ＡＶ機器を選択、操作することができる。
【発明を実施するための最良の形態】
【００１８】
次に、本発明の一実施の形態よる表示装置について、ＩＥＥＥ１３９４インタフェースを備えたテレビジョン受像機を例に、図面に基づき説明する。
【００１９】
図１は、本発明の一実施の形態によるテレビジョン受像機が接続された無線ＡＶ伝送システムの説明図である。
【００２０】
図１に示した無線ＡＶ伝送システム１では、それぞれＩＥＥＥ１３９４インタフェースを有するテレビジョン受像機１０，第１のＡＶ機器２１，第１の通信機３１が、第１のＩＥＥＥ１３９４バス４１を介して接続され、第１の１３９４ネットワーク５１が形成されている。また、それぞれＩＥＥＥ１３９４インタフェースを有する第２のＡＶ機器２２，第３のＡＶ機器２３，第２の通信機３２が、第２のＩＥＥＥ１３９４バス４２を介して接続され、第２の１３９４ネットワーク５２が形成されている。
【００２１】
第１の１３９４ネットワーク５１における第１の通信機３１と第２の１３９４ネットワーク５２における第２の通信機３２との間は、例えばワイヤレス１３９４，１３９４over８０２.１１等といったＩＥＥＥ１３９４以外の通信規格による無線通信区間６１を介して相互通信可能に接続されている。図１に示した無線ＡＶ伝送システム１の場合では、第１の通信機３１と第２の通信機３２との間は、ＩＥＥＥ８０２.１１によって無線通信接続されている。
【００２２】
このように、ＩＥＥＥ１３９４インタフェースを有する１３９４機器同士１０・２１・３１（２２・２３・３２）がＩＥＥＥ１３９４バス４１（４２）を介して接続された１３９４ネットワーク５１（５２）では、接続機器の増減時、バスリセット発生時等に、コンフィグレーションプロセスが起動され、バスの初期化、ツリーの識別、自己認識が行われ、各１３９４機器にノードＩＤが割り当てられる。これらの処理は通常、各機器のＩＥＥＥ１３９４インタフェースに設けられたＰＨＹチップ（Physical Layer Chip ）が行い、ネットワーク内で、通常、各機器１０・２１・３１（２２・２３・３２）に対して１つのノードＩＤが割り当てられる。
【００２３】
図１の例では、第１の１３９４ネットワーク５１上では、上述したコンフィグレーションプロセスの起動によって、テレビジョン受像機１０にはノード０、第１のＡＶ機器２１にはノード１、第１の通信機３１にはノード２がそれぞれ設定され、第２の１３９４ネットワーク５２上では、上述したコンフィグレーションプロセスの起動によって、第２の通信機３２にはノード０，第２のＡＶ機器２２にはノード１，第３のＡＶ機器２３にはノード２がそれぞれ設定されている状態を示している。
【００２４】
これに対し、各１３９４機器１０，２１，３１，２２，２３，３２には、ノードＩＤとは別に、全世界で一意に存在する６４ビットのＧＵＩＤ（Global Unique Identifier）が割り当てられている。通常、ＧＵＩＤは、ノード毎に必ず存在するConfiguration ＲＯＭ（以下、ConfigＲＯＭと省略する。）に記憶されている。
【００２５】
図１の例では、各機器１０，２１，３１，２２，２３，３２には１つのConfigＲＯＭが存在し、このConfigＲＯＭの中には各機器自身のＧＵＩＤや、機器名，メーカ名等の機器情報が予め格納されている。
【００２６】
なお、以下では、図１に示したテレビジョン受像機１０のＧＵＩＤは０ｘｘｘｘｘ１０、第１のＡＶ機器２１のＧＵＩＤは０ｘｘｘｘｘ２１、第１の通信機３１のＧＵＩＤは０ｘｘｘｘｘ３１であり、第２のＡＶ機器２２のＧＵＩＤは０ｘｘｘｘｘ２２、第３のＡＶ機器２３のＧＵＩＤは０ｘｘｘｘｘ２３、第２の通信機３２のＧＵＩＤは０ｘｘｘｘｘ３２であるものとして説明する。
【００２７】
次に、図１に示した無線ＡＶ伝送システム１において、互いに接続された第１の通信機３１及び第２の通信機３２が、それぞれ相手方通信機が接続されている第２の１３９４ネットワーク５２上のＡＶ機器２２・２３又は第１の１３９４ネットワーク５１上のＡＶ機器２１を、自身が接続されている第１の１３９４ネットワーク５１又は第２の１３９４ネットワーク５２上にエミュレートを行う構成について説明する。
【００２８】
まず、図１に示した第１の通信機３１及び第２の通信機３２の一実施例について、第１の通信機３１により説明する。なお、第２の通信機３２については、その構成は第１の通信機３１と同様であるので、その詳細な説明は省略する。
【００２９】
図２は、図１に示した無線ＡＶ伝送システムにおいて、本発明の一実施の形態によるテレビジョン受像機が接続されている第１の１３９４ネットワークの構成図である。
【００３０】
図２において、第１の通信機３１は、無線Ｉ／Ｆ部３０１，プロトコル変換部３０２，無線機器情報送受信部３０３，管理制御部３０４，内部機器情報記憶部３０５，外部機器情報記憶部３０６，１３９４機器情報送受信部３０７，及び１３９４Ｉ／Ｆ部３０８を備えて構成されている。
【００３１】
無線Ｉ／Ｆ部３０１は、ＩＥＥＥ８０２.１１規格による無線伝送におけるネゴシエーション等のＰＨＹレベルの基本機能を備え、無線伝送のプロトコルに従ったパケットを無線通信区間６１を介して送・受信する機能を有する。
【００３２】
プロトコル変換部３０２は、無線Ｉ／Ｆ部３０１からAsynchronousパケット（以下、Asyncパケットと略称する）と同等のパケットを包括する無線パケットを受信し、その受信した無線パケットをＩＥＥＥ１３９４バス上で伝送可能なAsyncパケットに変換し、１３９４Ｉ／Ｆ部３０８に供給する。
【００３３】
このとき、プロトコル変換部３０２に備えられたＧＵＩＤ−Ｎｏｄｅ変換部は、ＧＵＩＤで示された無線パケットの送信先や送信元を、後述する内部機器情報記憶部３０５及び外部機器情報記憶部３０６に記憶されている管理テーブルを参照して、第１の１３９４ネットワーク５１のノードＩＤによる送信先や送信元に変換する。
【００３４】
また、プロトコル変換部３０２は、１３９４Ｉ／Ｆ部３０８からAsyncパケットを受信し、その受信したAsyncパケットを当該Asyncパケットと同等のパケットを包括した無線パケットに変換し、無線Ｉ／Ｆ部３０１に供給する。
【００３５】
このとき、プロトコル変換部３０２に備えられたＮｏｄｅ−ＧＵＩＤ変換部は、ノードＩＤで示されたAsyncパケットの送信先や送信元を、後述の内部機器情報記憶部３０５及び外部機器情報記憶部３０６に記憶されている管理テーブルを参照して、ＧＵＩＤによる送信先と送信元に変換する。
【００３６】
１３９４Ｉ／Ｆ部３０８は、ＰＨＹチップの機能を備えており、第１のＩＥＥＥ１３９４バス４１を介して接続された１３９４機器のテレビジョン受像機１０又は第１のＡＶ機器２１との間で、ＩＥＥＥ１３９４通信方式に従ったAsyncパケットの送受信を行い、例えば、リピート、ケーブルの状態認識、バスの初期化、アービトレーション（arbitration）を実行する。
【００３７】
内部機器情報記憶部３０５は、第１の通信機３１が接続されている第１の１３９４ネットワーク５１の第１のＩＥＥＥ１３９４バス４１上に存在する第１の通信機３１自身も含めた１３９４機器のトポロジー構成、すなわち第１の通信機３１，テレビジョン受像機１０，第１のＡＶ機器２１のトポロジー構成と、各１３９４機器３１，１０，２１の管理テーブルとを記憶する。各管理テーブルには、対応する１３９４機器３１，１０，２１のConfigＲＯＭ等の情報が蓄積される構成になっている。
【００３８】
外部機器情報記憶部３０６は、図１に示した無線ＡＶ伝送システム１の場合、第１の通信機３１と通信可能な第２の通信機３２が設けられた外部の第２の１３９４ネットワーク５２における第２の１３９４バス４２上に、第１の通信機３１と通信可能な第２の通信機３２を介して存在する第２のＡＶ機器２２，第３のＡＶ機器２３のトポロジー構成と、各１３９４機器２２，２３の管理テーブルとを記憶する。各管理テーブルには、対応する１３９４機器２２，２３のConfigＲＯＭ等の情報が蓄積される構成になっている。
【００３９】
ここで、内部機器情報記憶部３０５及び外部機器情報記憶部３０６それぞれに設けられる管理テーブルの一実施例について、図３を基に説明する。
【００４０】
図３は、第１の１３９４ネットワークに接続されている第１の通信機の外部機器情報記憶部及び内部機器情報記憶部に備えられた管理テーブルの説明図である。
【００４１】
管理テーブル３２０は、内部機器情報記憶部３０５又は外部機器情報記憶部３０６に記憶された１３９４機器毎に対応させて設けられている。各管理テーブル３２０は、機器情報が有効なものであるか又は無効なものであるかを示すバリッドフラグ３２１、当該管理テーブルが１３９４機器をエミュレートしているものであるか否かを示すエミュレートフラグ３２２、当該管理テーブルが設けられている内部機器情報記憶部３０５及び外部機器情報記憶部３０６を備えた通信機が接続されている１３９４ネットワーク上での１３９４機器それぞれのノードＩＤを記憶するノードＩＤ領域３２３、当該管理テーブルに対応する１３９４機器のＧＵＩＤをはじめとしたConfigＲＯＭの中の機器名，メーカ名等といった機器情報が記憶されるＧＵＩＤ領域３２４、プラグレジスタのアドレスと値を登録するためのレジスタ領域３２５を有する。
【００４２】
なお、管理テーブル３２０に配置する情報は、図３に示した例に限定されるものではなく、例えば、Config ＲＯＭ以外のデータを配置することも可能である。
【００４３】
無線機器情報送受信部３０３は、無線Ｉ／Ｆ部３０１を介して受信した無線伝送のプロトコルに従ったパケットから機器構成の変化通知や機器構成情報の提供要求を受信し、管理制御部３０４に供給する。
【００４４】
また、無線機器情報送受信部３０３は、管理制御部３０４から供給される指示に基づいて、機器構成の変化通知や機器構成情報の提供要求を無線Ｉ／Ｆ部３０１を介して送信出力する。
【００４５】
また、無線機器情報送受信部３０３は、無線Ｉ／Ｆ部３０１を介して受信した無線伝送のプロトコルに従ったパケットから、先に自身から送信した機器構成情報の提供要求に応答した機器構成情報データを受信し、管理制御部３０４に供給する。
【００４６】
また、無線機器情報送受信部３０３は、外部から受信した機器構成情報の提供要求に応答して管理制御部３０４によって生成され供給される機器構成情報データを、無線Ｉ／Ｆ部３０１を介して無線伝送のプロトコルに従ったパケットでその提供要求の送信元に送信出力する。
【００４７】
１３９４機器情報送受信部３０７は、１３９４Ｉ／Ｆ部３０８を介して受信したAsyncパケットからテレビジョン受像機１０からの第１の通信機３１がエミュレートしている１３９４機器（図１の場合、第２のＡＶ機器２２，第３のＡＶ機器２３）のエミュレート機器情報の提供要求を受信し、管理制御部３０４に供給する。
【００４８】
１３９４機器情報送受信部３０７は、先に受信したテレビジョン受像機１０からのエミュレート機器情報の提供要求に応答して管理制御部３０４から供給されるエミュレートしている機器の機器構成情報データを１３９４Ｉ／Ｆ部３０８に供給し、１３９４Ｉ／Ｆ部３０８を介してAsyncパケットによりテレビジョン受像機１０に送信出力する。
【００４９】
管理制御部３０４は、上述した第１の通信機３１の各部を作動制御する。
【００５０】
次に、第１の１３９４ネットワーク５１における第１のＩＥＥＥ１３９４バス４１上に接続されたテレビジョン受像機１０の構成について説明する。
【００５１】
図２において、テレビジョン受像機１０は、１３９４Ｉ／Ｆ部１０１、ＡＶ情報受信部１０２、ＧＵＩ（Graphical User Interface）画面合成部１０３、出力表示部１０４、機器情報送受信部１０５、管理制御部１０６、接続機器情報記憶部１０７、付設されたリモコン操作器１１０の操作信号を受信するリモコン受信部１０８を備えて構成されている。
【００５２】
１３９４Ｉ／Ｆ部１０１は、ＰＨＹチップの機能を備えており、第１のＩＥＥＥ１３９４バス４１を介して接続された第１の通信機３１及び第１のＡＶ機器２１との間で、ＩＥＥＥ１３９４通信方式に従ったAsyncパケットの送受信を行い、例えば、リピート、ケーブルの状態認識、バスの初期化、アービトレーションを実行する。
【００５３】
ＡＶ情報受信部１０２は、受信したAsyncパケットから映像情報，音声情報，又はこれらの組み合わせからなるＡＶ情報を受信し、これを復号・復調したＡＶデータをＧＵＩ画面合成部１０３に供給する。
【００５４】
ＧＵＩ画面合成部１０３は、第１の１３９４ネットワーク５１に実際又は仮想的に接続されているＡＶ機器２１，２２，２３の何れかに対して、ユーザがテレビジョン受像機１０側から操作を行う場合等の際に用いられるＧＵＩ（Graphical User Interface）データを蓄積又は生成し、これら蓄積又は生成されたＧＵＩデータを、管理制御部１０６からの指示に基づいてＡＶ情報受信部１０２から供給されるＡＶデータに合成し、このＧＵＩデータを合成したＡＶデータを出力表示部１０４に供給出力する。
【００５５】
出力表示部１０４は、例えばＥＣＤ（Electro Chromic Display），ＥＬＤ（Electro Luminescence Display）等といった表示部やその駆動部等を有し、ＧＵＩ画面合成部１０３から供給されるＧＵＩデータが必要に応じて合成されているＡＶデータを、駆動部を介して表示部から表示出力する構成になっている。
【００５６】
機器情報送受信部１０５は、管理制御部１０６から供給される指示に基づき機器情報の提供要求を１３９４Ｉ／Ｆ部１０１を介して第１の通信機３１宛にAsyncパケットで送信出力するとともに、管理制御部１０６から供給されるリモコン操作器１１０の操作に対応したＡＶ／Ｃ（Audio / Video Compatibility）コマンドを１３９４Ｉ／Ｆ部１０１を介して該当する実際又は仮想的に接続された１３９４機器２１，２２，２３宛にAsyncパケットで送信出力する。
【００５７】
また、機器情報送受信部１０５は、１３９４Ｉ／Ｆ部１０１を介して受信したAsyncパケットから、先に送信した機器情報の提供要求に応答した第１の通信機３１から送信されるエミュレートしている１３９４機器２２，２３の機器構成情報データや、１３９４Ｉ／Ｆ部１０１を介して実際に接続されている１３９４機器２１，３１の機器構成情報データを受信して、管理制御部１０６に供給する。
【００５８】
接続機器情報記憶部１０７は、テレビジョン受像機１０に第１の１３９４ネットワーク５１を介して実際に接続されている１３９４機器２１，３１の機器情報、並びに仮想的に接続されている１３９４機器２２，２３の機器情報等が記憶される。
【００５９】
リモコン受信部１０８は、リモコン操作器１１０からＩｒＤＡ（Infrared Data Association）等の通信規格に基づいて発信される操作信号を受信し、これを管理制御部１０６に供給する。
【００６０】
管理制御部１０６は、上述したテレビジョン受像機１０の各部を作動制御する。
【００６１】
次に、第１の通信機３１及び第２の通信機３２に接続された１３９４機器に関して、第１の通信機３１が、第１のＩＥＥＥ１３９４バス４１及び第２のＩＥＥＥ１３９４バス４２上の全ての機器１０，２１，３１，３２，２２，２３を認識する処理のシーケンスを、図４に基づいて説明する。
【００６２】
図４は、第１の通信機による機器認識と機器情報を内部及び外部機器情報記憶部の管理テーブルに登録するシーケンスを示す図である。
【００６３】
まず、図１における第１のＩＥＥＥ１３９４バス４１において、実際に接続されている１３９４機器の増減等に起因して、バスリセットが発生した場合を例に説明する。
【００６４】
さらに具体的には、第１のＩＥＥＥ１３９４バス４１へのテレビジョン受像機１０の新たな接続によって、第１の１３９４ネットワーク５１上において実際に接続されている１３９４機器の増加により、第１のＩＥＥＥ１３９４バス４１にバスリセットが発生した場合を例に説明する。
【００６５】
また、これに伴い、今回の第１のＩＥＥＥ１３９４バス４１でのバスリセット前には、第１の通信機３１の内部機器情報記憶部３０５は、第１のＩＥＥＥ１３９４バス４１に対して第１の通信機３１及び第１のＡＶ機器２１が接続されているトポロジー構成と、第１の通信機３１及び第１のＡＶ機器２１それぞれの管理テーブルが記憶されている状態になっているものとする。
【００６６】
また、第１の通信機３１の外部機器情報記憶部３０６は、第２のＩＥＥＥ１３９４バス４２に対して、第１の通信機３１と無線通信可能に接続された第２の通信機３２を除いた、第２のＡＶ機器２２及び第３のＡＶ機器２３がそれぞれ接続されているトポロジー構成と、第２のＡＶ機器２２及び第３のＡＶ機器２３それぞれの管理テーブルが記憶されている状態になっているものとする。
【００６７】
そして、第１の通信機３１の内部機器情報記憶部３０６における第１の通信機３１の管理テーブルのノードＩＤには１が、第１のＡＶ機器２１の管理テーブルのノードＩＤには０が設定され、外部機器情報記憶部３０６における第２のＡＶ機器２２の管理テーブルのノードＩＤには２が、第３のＡＶ機器２３の管理テーブルのノードＩＤには３が設定されている場合を想定する。
【００６８】
以下では、このような状況において、第１のＩＥＥＥ１３９４バス４１に対するテレビジョン受像機１０の新たな接続によってバスリセットが発生した場合に関して、第１の通信機３１が、第１のＩＥＥＥ１３９４バス４１上、及び無線接続されている第２の通信機３２が接続されている第２のＩＥＥＥ１３９４バス４２上の１３９４機器を認識する制御構成について説明する。
【００６９】
第１のＩＥＥＥ１３９４バス４１に対するテレビジョン受像機１０の新たな接続によって第１のＩＥＥＥ１３９４バス４１でバスリセットが発生すると（図４、ステップＳ11）、第１のＩＥＥＥ１３９４バス４１上の各１３９４機器１０，２１，３１の１３９４Ｉ／Ｆ部１０１，３０８，…それぞれに備えられたＩＥＥＥ１３９４ＰＨＹの間でバスの初期化動作が実行され、各１３９４機器１０，２１，３１に、第１のＩＥＥＥ１３９４バス４１上におけるノードが新たに割り当てられる（図４、ステップＳ12）。
【００７０】
本例では、テレビジョン受像機１０にはノード０が、第１のＡＶ機器２１にはノード１が、第１の通信機３１にはノード２が、それぞれ割り当てられたものとする。
【００７１】
なお、第２のＩＥＥＥ１３９４バス４２上では、今回のバスリセット以前に、第２の通信機３２にはノード０が、第２のＡＶ機器２２にはノード１が、第３のＡＶ機器２３にはノード３が、それぞれ割り当てられているものとする。
【００７２】
これに基づき、第１の通信機３１では、その管理制御部３０４は、内部機器情報記憶部３０６の各管理テーブルのノードＩＤに記憶されている最大値１（すなわち，今回バスリセット前に第１のＩＥＥＥ１３９４バス４１に実際に接続されている１３９４機器の機器数に対応）と、今回のバスリセットに対して１３９４Ｉ／Ｆ部３０８で実行されたバスの初期化動作によって割り当てられたノードの最大値２（すなわち，今回バスリセット時に第１のＩＥＥＥ１３９４バス４１に実際に接続されている１３９４機器の機器数に対応）とを比較して、実際に接続されている１３９４機器の増減を確認する。
【００７３】
そして、実際に接続されている１３９４機器の増減が生じている場合には、管理制御部３０４は、外部機器情報記憶部３０６の各管理テーブルのノードＩＤに記憶されている値を１３９４Ｉ／Ｆ部３０８で実行されたバスの初期化動作によって割り当てられたノードＩＤの最大値２に合わせて更新し、内部機器情報記憶部３０５及び外部機器情報記憶部３０６それぞれの各管理テーブルのノードＩＤ間で値の重複や途中抜けが無いようにする。したがって、今回の第１のＩＥＥＥ１３９４バス４１に対するテレビジョン受像機１０の新たな接続によるバスリセットの場合は、管理制御部３０４は、外部機器情報記憶部３０６における第２のＡＶ機器２２の管理テーブルのノードＩＤを３に更新し、第３のＡＶ機器２３の管理テーブルのノードＩＤを４に更新する（図４、ステップＳ13）。
【００７４】
第１の通信機３１では、自身を含め、第１のＩＥＥＥ１３９４バス４１上の各１３９４機器１０，２１，３１のノードＩＤが決まると、管理制御部３０４は、その１３９４Ｉ／Ｆ部３０８が、自身を除く第１のＩＥＥＥ１３９４バス４１に接続されているノード０，１それぞれからConfigＲＯＭの記憶情報を、第１のＩＥＥＥ１３９４バス４１を介して順番に読み出す（図４、ステップＳ14）。
【００７５】
本例では、ノード２は第１の通信機３１自身であるので除かれ、第１の通信機３１は、ノード０のテレビジョン受像機１０に備えられたConfigＲＯＭの記憶情報を，ノード１の第１のＡＶ機器２１に備えられたConfigＲＯＭの記憶情報を、第１のＩＥＥＥ１３９４バス４１を介して順番に読み出すことになる。この読み出したテレビジョン受像機１０及び第１のＡＶ機器２１それぞれのConfig ＲＯＭの記憶情報には、通常、ＧＵＩＤや機器名，メーカ名等といった機器情報が含まれている。
【００７６】
第１の通信機３１では、１３９４Ｉ／Ｆ部３０８が自身を除く第１のＩＥＥＥ１３９４バス４１に接続されているノード０のテレビジョン受像機１０，ノード１の第１のＡＶ機器２１それぞれのConfigＲＯＭの記憶情報を読み出すと、その管理制御部３０４が、内部機器情報記憶部３０６に第１のＩＥＥＥ１３９４バス４１上に存在するノード０、１、２のトポロジー構成を記憶するとともに、各ノード０、１、２に対応させた管理テーブルを登録する（図４、ステップＳ15）。
【００７７】
この場合、管理制御部３０４は、内部機器情報記憶部３０６にノード０に対応する管理テーブルを生成し、そのバリッドフラグを有効にし、エミュレートフラグをＯＦＦ状態にし、ノードＩＤを０に設定するとともに、ＧＵＩＤ領域にはノード０に該当するテレビジョン受像機１０のConfigＲＯＭから読み出したＧＵＩＤ０ｘｘｘｘｘ１０や機器名，メーカ名等といった機器情報を、レジスタ領域にはプラグレジスタのノード０に対応するアドレスと値を書き込んで登録する。
【００７８】
また、管理制御部３０４は、内部機器情報記憶部３０６にノード１に対応させて管理テーブルを生成し、同様にして、そのバリッドフラグを有効にし、エミュレートフラグをＯＦＦ状態にし、ノードＩＤを１に設定するとともに、ＧＵＩＤ領域にはノード１に該当する第１のＡＶ機器２１のConfigＲＯＭから読み出したＧＵＩＤ０ｘｘｘｘｘ２１や機器名，メーカ名等といった機器情報を、レジスタ領域にはプラグレジスタのノード１に対応するアドレスと値を書き込んで登録する。
【００７９】
また、管理制御部３０４は、内部機器情報記憶部３０６にノード２に対応させて管理テーブルを生成し、同様にして、そのバリッドフラグを有効にし、エミュレートフラグをＯＦＦ状態にし、ノードＩＤを２に設定するとともに、ＧＵＩＤ領域には第１の通信機３１自身のConfigＲＯＭから読み出したＧＵＩＤ０ｘｘｘｘｘ３１や機器名，メーカ名等といった機器情報を、レジスタ領域にはプラグレジスタのノード２に対応するアドレスと値を書き込んで登録する。
【００８０】
第１の通信機３１では、その管理制御部３０４が第１のＩＥＥＥ１３９４バス４１でバスリセットが発生した後の内部機器情報記憶部３０５への上述したトポロジー構成と各ノード０、１、２の管理テーブルの登録が完了すると、無線機器情報送受信部３０３を介して、無線Ｉ／Ｆ部３０１から第２の通信機３２に機器構成の変化通知を送信する（図４、ステップＳ16）。
【００８１】
なお、第１のＩＥＥＥ１３９４バス４１においてバスリセットが発生したものの、内部機器情報記憶部３０５内に記憶されている情報が今回のバスリセット前と後とで変わりがなかった場合には、第１の通信機３１は第２の通信機３２に対して機器構成の変化通知を送信しないようにすることも可能である。
【００８２】
第１の通信機３１では、この第２の通信機３２に送信した機器構成の変化通知に呼応して、第２の通信機３２から、機器構成情報の提供要求を含む無線伝送のプロトコルに従ったパケットを無線機器情報送受信部３０３が無線Ｉ／Ｆ部３０１を介して受信すると、その管理制御部３０４は次に述べる機器構成情報提供処理を行う（図４、ステップＳ17）。
【００８３】
一方、第１の通信機３１から無線伝送のプロトコルに従ったパケットによる機器構成の変化通知を受信した第２の通信機３２は、第１の通信機３１が接続されている第１のＩＥＥＥ１３９４バス４１上の機器構成に関する情報を要求する機器構成情報の提供要求を含む無線伝送のプロトコルに従ったパケットを、第１の通信機３１に対して無線送信する。
【００８４】
第１の通信機３１では、この第２の通信機３２からの機器構成情報の提供要求を無線機器情報送受信部３０３が無線Ｉ／Ｆ部３０１を介して受信すると、管理制御部３０４は、その内部機器情報記憶部３０５に記憶されている第１の通信機３１を除いた１３９４機器（この場合、テレビジョン受像機１０及び第１のＡＶ機器２１）のトポロジー構成とそれぞれの管理テーブルに登録されているＧＵＩＤや機器名，メーカ名等といった機器情報に基づく機器構成情報データを生成し、無線機器情報送受信部３０３は、この機器構成情報データを無線Ｉ／Ｆ部３０１を介して無線伝送のプロトコルに従ったパケットで、第２の通信機３２に対して送信出力する（図４、ステップＳ18）。
【００８５】
一方、第１の通信機３１から先に送信した機器構成情報要求に対する機器構成情報データをその無線Ｉ／Ｆ部３０１を介して無線機器情報送受信部３０３により受信した第２の通信機３２は、その外部機器情報記憶部３０６の更新登録処理を行う。  
【００８６】
更新登録処理を行うに当たり、第２の通信機３２の管理制御部３０４は、この受信した機器構成情報データを基に、外部機器情報記憶部３０６に、第１のＩＥＥＥ１３９４バス４１に接続されているノード０のテレビジョン受像機１０，ノード１の第１のＡＶ機器２１それぞれに対応させた管理テーブルを生成する（図４、ステップＳ19）。
【００８７】
この場合、管理制御部３０４は、外部機器情報記憶部３０６に第１の１３９４ネットワーク５１におけるノード０のテレビジョン受像機１０に対応する管理テーブルを生成し、そのバリッドフラグを有効にし、エミュレートフラグをＯＮ状態にし、内部機器情報記憶部３０５の各管理テーブルのノードＩＤに記憶されている最大値２（すなわち，今回バスリセット前に第２のＩＥＥＥ１３９４バス４２に実際に接続されている１３９４機器の機器数に対応）を考慮して、仮想ノードとしてノードＩＤは３に設定するとともに、ＧＵＩＤ領域にはテレビジョン受像機１０のＧＵＩＤ０ｘｘｘｘｘ１０や機器名，メーカ名等といった機器情報を、レジスタ領域にはプラグレジスタのノード３に対応するアドレスと値を書き込んで登録する。
【００８８】
また、管理制御部３０４は、外部機器情報記憶部３０６に第１の１３９４ネットワーク５１におけるノード１の第１のＡＶ機器２１に対応する管理テーブルを生成し、そのバリッドフラグを有効にし、エミュレートフラグをＯＮ状態にし、仮想ノードとしてノードＩＤは４に設定変更するとともに、ＧＵＩＤ領域には第１のＡＶ機器２１のＧＵＩＤ０ｘｘｘｘｘ２１や機器名，メーカ名等といった機器情報を、レジスタ領域にはプラグレジスタのノード４に対応するアドレスと値を書き込んで登録する。
【００８９】
その上で、第２の通信機３２は、その１３９４機器情報送受信部３０７が１３９４Ｉ／Ｆ部３０８を介して第２のＩＥＥＥ１３９４バス４２にバスリセットを発生させて、今度は第２の１３９４ネットワーク５２上に仮想的に接続されるようになった第１の１３９４ネットワーク５１上のテレビジョン受像機１０及び第１のＡＶ機器２１のノードを、第２の１３９４ネットワーク５２上の第２のＩＥＥＥ１３９４バス４２に実際に接続されている第２のＡＶ機器２２並びに第３のＡＶ機器２３が見ることができるようにする。
【００９０】
無線ＡＶ伝送システム１において互いに無線接続された第１の通信機３１及び第２の通信機３２は、上述した如くの処理を行って、実際に接続されている１３９４機器の増減等によるノード変化に対応できるようになっている。
【００９１】
なお、上記説明では、第１のＩＥＥＥ１３９４バス４１において、実際に接続されている１３９４機器の増減等が起こった場合について説明したが、第２のＩＥＥＥ１３９４バス４２において、実際に接続されている１３９４機器の増減等が起こった場合についても、上述した第１の通信機３１と第２の通信機３２とのそれぞれ処理が入れ替わるだけであるので、その説明は省略する。
【００９２】
その上で、本実施の形態では、テレビジョン受像機１０は、上述した第１の通信機３１による機器認識と機器情報を内部及び外部機器情報記憶部の管理テーブルに登録するシーケンスに関連して、テレビジョン受像機１０自身が接続されている第１の１３９４ネットワーク５１の第１のＩＥＥＥ１３９４バス４１に実際又は仮想的に接続されているテレビジョン受像機１０以外の１３９４機器２１，３１，２２，２３それぞれのＧＵＩＤや機器名，メーカ名等といった機器情報の取得を行える構成になっている。
【００９３】
次に、このテレビジョン受像機１０による、自身と同じ１３９４ネットワーク５１に実際又は仮想的に接続されている他の１３９４機器２１，３１，２２，２３それぞれの機器情報の取得処理について、図５により説明する。
【００９４】
図５は、本実施の形態によるテレビジョン受像機により行われる、自身と同じ１３９４ネットワークに実際又は仮想的に接続されている他の１３９４機器それぞれの機器情報の取得のためのシーケンス図（フローチャート）である。
【００９５】
テレビジョン受像機１０は、例えば図４のステップＳ11に示したように、テレビジョン受像機１０自身が接続されている第１の１３９４ネットワーク５１の第１のＩＥＥＥ１３９４バス４１上で、例えば図４のステップＳ11に示したようなバスリセットが発生すると、その管理制御部１０６はこのバスリセットの発生を１３９４Ｉ／Ｆ部１０１を介して検出する（図５、ステップＳ11）。そして、テレビジョン受像機１０は、１３９４Ｉ／Ｆ部１０１を介して、図４のステップＳ12，Ｓ13に示したノードの割り当てが完了すると、予め１３９４ネットワーク上における不特定の通信機との間で定められた特定コマンドの送信指示を機器情報送受信部１０５に供給し、この機器情報送受信部１０５は、１３９４Ｉ／Ｆ部１０１を介して、この特定コマンドが含まれたAsyncパケットを第１のＩＥＥＥ１３９４バス４１上に例えばブロードキャストで送出する（図５、ステップＳ21）。
【００９６】
そして、テレビジョン受像機１０では、この特定コマンドが含まれたAsyncパケットを第１のＩＥＥＥ１３９４バス４１上に送出した後、予め定められている応答時間内にこの送出した特定コマンドに対する応答が含まれているAsyncパケットを、機器情報送受信部１０５が１３９４Ｉ／Ｆ部１０１を介して受信したか否かを監視する構成になっている。
【００９７】
この場合、テレビジョン受像機１０では、その管理制御部１０６が、予め定められた所定時間内に機器情報送受信部１０５がこの特定コマンドに対する応答を１３９４Ｉ／Ｆ部１０１を介して受信しない場合は、テレビジョン受像機１０が接続されている第１の１３９４ネットワーク５１の第１のＩＥＥＥ１３９４バス４１上に、別の１３９４ネットワークに接続可能な通信機（第１の通信機３１が相当）が接続されていないものと認識し、上述した同じ１３９４ネットワーク５１に接続されているＡＶ機器の機器情報の取得処理を、例えば、図４のステップＳ14で説明したと同様な順番読み出しによって取得し、取得したＡＶ機器の機器情報を接続機器情報記憶部１０７に格納する。
【００９８】
一方、図１に示した無線ＡＶ伝送システム１の場合では、テレビジョン受像機１０が接続されている第１の１３９４ネットワーク５１には、第２の１３９４ネットワーク５２の第２の通信機３２と無線接続された第１の通信機３１が接続されている。
【００９９】
このような場合、第１の通信機３１では、テレビジョン受像機１０から前述した特定コマンドが含まれたAsyncパケットを１３９４Ｉ／Ｆ部３０８を介して１３９４機器情報送受信部３０７が受信することになる。
【０１００】
そして、第１の通信機３１では、その管理制御部３０４が、テレビジョン受像機１０からの特定コマンドを１３９４機器情報送受信部３０７が受信すると、その特定コマンドに応じた形式の応答を生成し、１３９４機器情報送受信部３０７から１３９４Ｉ／Ｆ部３０８を介して、受信した当該特定コマンドの送信元のノード（すなわち、テレビジョン受像機１０に割り当てられているノード０）に対して送信する。
【０１０１】
これにより、テレビジョン受像機１０は、この第１の通信機３１からの特定コマンドに応じた応答が含まれているAsyncパケットを、１３９４Ｉ／Ｆ部１０１を介して機器情報送受信部１０５が受信することによって、その管理制御部１０６は、第２の１３９４ネットワーク５２の第２の通信機３２と無線接続された第１の通信機３１の存在と、その該当ノード、すなわち図１の無線ＡＶ伝送システム１の場合はテレビジョン受像機１０から認識できるノード２〜４の中からノード２を特定することができる（図５、ステップＳ22）。
【０１０２】
そして、テレビジョン受像機１０は、第１の通信機３１の存在とその該当ノード（ノード２）を把握すると、その管理制御部１０６は、該当ノードのノード２に対して、機器情報の提供要求を含むAsyncパケットを、機器情報送受信部１０５から１３９４Ｉ／Ｆ部１０１を介して送信する（図５、ステップＳ23）。
【０１０３】
第１の通信機３１では、このテレビジョン受像機１０からの機器情報の提供要求を１３９４機器情報送受信部３０７が１３９４Ｉ／Ｆ部３０８を介して受信すると、管理制御部３０４は、その内部機器記憶部３０６に記憶されている、テレビジョン受像機１０と同じ第１の１３９４ネットワーク５１上に実際に存在する１３９４機器（この場合、第１のＡＶ機器２１及び第１の通信機３１が該当）のトポロジー構成とそれぞれの管理テーブルに登録されているＧＵＩＤや機器名，メーカ名等といった機器情報と、その外部機器記憶部３０６に記憶されている第１の通信機３１がエミュレートしている１３９４機器（この場合、第２の１３９４ネットワーク５２上の第２のＡＶ機器２２及び第３のＡＶ機器２３）のトポロジー構成とそれぞれの管理テーブルに登録されているＧＵＩＤや機器名，メーカ名等といった機器情報とに基づき、テレビジョン受像機１０から見える各ノード（ノード１〜４）についての機器構成情報データを生成する。そして、１３９４機器情報送受信部３０７は、この生成された機器構成情報データを含むAsyncパケットを、１３９４Ｉ／Ｆ部３０８を介して、この要求元のノード（ノード０）のテレビジョン受像機１０に対して送信する。
【０１０４】
テレビジョン受像機１０は、第１の通信機３１からの機器構成情報データを機器情報送受信部１０５が１３９４Ｉ／Ｆ部１０１を介して受信すると、管理制御部１０６は、機器情報送受信部１０５が取得したテレビジョン受像機１０から見える各ノード（ノード１〜４）についての機器情報を接続機器情報記憶部１０７に格納し、自身と同じ１３９４ネットワーク５１に実際又は仮想的に接続されている他の１３９４機器それぞれの機器情報の取得処理を終了する（図５、ステップＳ24，Ｓ25）。
【０１０５】
図６は、本実施の形態によるテレビジョン受像機が接続機器情報記憶部に取得した機器情報の説明図である。
【０１０６】
図６に示すように、上述の処理を経て、テレビジョン受像機１０は、自身と同じ１３９４ネットワーク５１に実際又は仮想的に接続されている他の１３９４機器２１，３１，２２，２３それぞれの機器情報を接続機器情報記憶部１０７に管理テーブル１２０として蓄積しておくことができる。
【０１０７】
なお、上記説明では、テレビジョン受像機１０自身が存在する第１の１３９４ネットワーク５１上の第１のＩＥＥＥ１３９４バス４１でバスリセットが起きた場合で説明したが、テレビジョン受像機１０自身が存在していない第２の１３９４ネットワーク５２上の第２のＩＥＥＥ１３９４バス４２でバスリセットが起きた場合についても、同様に対処することができる。また、テレビジョン受像機１０が、自身が接続されている１３９４ネットワーク５１上の実際又は仮想的に接続されている自身以外の１３９４機器３１，２１〜２３それぞれのＧＵＩＤや機器名，メーカ名等といった機器情報を取得するタイミングは、上述したバスリセット時に限るものではなく、例えば図５のステップＳ21で説明した特定コマンドが含まれたAsyncパケットを定期的に送信して機器情報を取得することも可能である。
【０１０８】
次に、本実施の形態によるテレビジョン受像機１０のリモコン操作器１１０を操作して、テレビジョン受像機１０でテレビジョン放送の受信映像以外のＤＶＤ，ビデオ等といった外部ＡＶ機器の出力映像（外部ＡＶ映像）を視聴する場合について説明する。
【０１０９】
本実施の形態の場合、リモコン操作器１１０から外部ＡＶ映像への切り替え操作がユーザによってなされると、その切り替え指示がリモコン受信部１０８から供給されたテレビジョン受像機１０の管理制御部１０６は、外部ＡＶ映像選択用のＧＵＩ映像の生成指示をＧＵＩ画面合成部１０３に供給する。管理制御部１０６は、このＧＵＩ映像の生成指示に基づきＧＵＩ画面合成部１０３が外部ＡＶ映像選択用のＧＵＩを生成するにあたって、図６のステップＳ25で説明した接続機器情報記憶部１０７に蓄積した管理テーブル１２０の機器情報を随時供給し、ＧＵＩ画面合成部１０３は、この供給された機器情報を基に外部ＡＶ映像選択用のＧＵＩの構成内容を調整してＧＵＩを生成する。このＧＵＩ画面合成部１０３による外部ＡＶ映像選択用のＧＵＩの構成内容を調整について、出力表示部１０４に表示される外部ＡＶ映像選択用画面に基づいて説明する。
【０１１０】
図７は、リモコン操作器を操作してテレビジョン受像機で視聴する外部ＡＶ映像の選択画面である。
【０１１１】
選択画面４００において、各被選択機器表示４１０は、接続機器情報記憶部１０７に蓄積されている管理テーブルの数、すなわちテレビジョン受像機１０から見ることができるノードの数に応じてＧＵＩ画面合成部１０３によって生成調整される。
【０１１２】
“Ｄ−ＶＨＳ１”，“Ｄ−ＶＨＳ１”，“Ｄ−ＶＨＳ３”といった各機器名表示４１１、“メーカＡ”，“メーカＢ”，“メーカＣ”といった各メーカ名表示４１２、及び“機器Ａ”，“機器Ｂ”，“機器Ｃ”といった各機器表示４１３は、接続機器情報記憶部１０７に蓄積されている対応する機器の管理テーブルにおけるＧＵＩＤや機器名，メーカ名等といった機器情報に応じてＧＵＩ画面合成部１０３によって生成調整される。
【０１１３】
さらに、外部表示４１４は、接続機器情報記憶部１０７に蓄積されている対応する機器の管理テーブルにおけるエミュレートフラグのＯＮ／ＯＦＦに応じてＧＵＩ画面合成部１０３によって生成調整される。図示の例では、外部表示４１４が表示されていない“機器Ａ”は、テレビジョン受像機１０が接続されている第１の１３９４ネットワーク５１に同じく接続されている第１のＡＶ機器２１であることを表し、外部表示４１４が表示されている“機器Ｂ”，“機器Ｃ”は、テレビジョン受像機１０が接続されている第１の１３９４ネットワーク５１とは通信機３１，３２を介して無線接続されている別の第２の１３９４ネットワーク５２上の第２のＡＶ機器２２及び第３のＡＶ機器２３であることを表している。
【０１１４】
したがって、本実施の形態によれば、テレビジョン受像機１０の出力表示部１０４にＯＳＤ表示される外部ＡＶ映像選択用画面を参照しながら、ユーザがテレビジョン受像機１０のリモコン操作器１１０を操作して視聴する外部ＡＶ映像を選択する場合であっても、単にノードの値ではなく、被選択されるＡＶ機器の上述した機器情報を確認しがら、ユーザは所望の外部ＡＶ映像を供給可能なＡＶ機器を確実かつ容易に選択することができる。
【０１１５】
また、ユーザが所望の外部ＡＶ映像を供給可能なＡＶ機器を選択した後、テレビジョン受像機１０の管理制御部１０６は、選択したＡＶ機器の機器又は機器名に合わせて、その後のＧＵＩ画面を準備することができ、ユーザがテレビジョン受像機１０のリモコン操作器１１０を操作してＧＵＩ画面上で選択した操作は、管理制御部１０６が対応するＡＶ／Ｃコマンドを生成して機器情報送受信部１０５から１３９４Ｉ／Ｆ部１０１を介し、このＡＶ／Ｃコマンドを含むAsyncパケットが選択されたＡＶ機器に対応するノードに送出される。この場合、例えば、選択されたＡＶ機器がテレビジョン受像機１０が接続されている第１の１３９４ネットワーク５１とは別の第２の１３９４ネットワーク５２に接続されている第２の１３９４ネットワーク５２に接続されている第２のＡＶ機器２２である場合は、テレビジョン受像機１０はこのＡＶ／Ｃコマンドを含むAsyncパケットを次のようにして第２のＡＶ機器２２に送信する。
【０１１６】
まず、テレビジョン受像機１０からは、このＡＶ／Ｃコマンドを含むAsyncパケットを、第２のＡＶ機器２２をエミュレートしている第１の通信機３１に対応するノード２宛に、第１のＩＥＥＥ１３９４バス４１を介して送信する。第１の通信機３１は、このノード２宛のＡＶ／Ｃコマンドを含むAsyncパケットを受信し、送信元をテレビジョン受像機１０のＧＵＩＤとし、送信先を第２のＡＶ機器２２のＧＵＩＤとしたこのＡＶ／Ｃコマンドを含むAsyncパケットと同等のパケットを包括した無線パケットに変換し、この無線パケットを第２の通信機３２に対して無線伝送のプロトコルに従って送信する。第２の通信機３２は、この第１の通信機３１からの無線パケットを無線伝送のプロトコルに従って受信し、この受信した、送信元をテレビジョン受像機１０のＧＵＩＤとし、送信先を第２のＡＶ機器２２のＧＵＩＤとしたこのＡＶ／Ｃコマンドを含むAsyncパケットと同等のパケットを包括した無線パケットを、送信元を第２の通信機３２が接続されている第２の１３９４ネットワーク５２上のテレビジョン受像機１０に該当するノードとし、送信先を第２の１３９４ネットワーク５２上の第２のＡＶ機器２２のノードとしたＡＶ／Ｃコマンドを含むAsyncパケットに変換して、第２のＩＥＥＥ１３９４バス４２を介して送信する。これにより、第２のＡＶ機器２２は、この受信したAsyncパケットに含まれるＡＶ／Ｃコマンドに応じて、制御作動されることになる。
【０１１７】
したがって、以上説明した本実施の形態によるテレビジョン受像機１０によれば、テレビジョン受像機１０が自身が接続されている１３９４ネットワーク５１上の実際又は仮想的に接続されている自身以外の１３９４機器３１，２１〜２３それぞれのＧＵＩＤや機器名，メーカ名等といった機器情報を取得し、この取得した機器情報に基づいて、テレビジョン受像機１０が外部ＡＶ映像の選択等の操作用のＧＵＩを表示することにより、次に述べるような効果を奏する。
【０１１８】
まず、テレビジョン受像機１０自身がもともと内蔵している、機器選択（外部ＡＶ映像選択），機器操作画面を利用するため、第１の通信機３１又は第２の通信機３２にディスプレイや、テレビジョン受像機１０に伝送するＡＶ情報にＯＳＤを重畳するための構成を追加しなくてもよい。
【０１１９】
そのため、ＡＶ出力機器としてのＩＥＥＥ１３９４インタフェースを備えたテレビジョン受像機１０を１３９４ネットワーク５１に接続するだけで、テレビジョン受像機１０自身が接続された１３９４ネットワーク５１に接続されているＡＶ機器２１や、通信機３１，３２を介して接続された別の１３９４ネットワーク５２に接続されているＡＶ機器２２，２３を、テレビジョン受像機１０側からそのＧＵＩを使用して作動制御することができる。
【０１２０】
さらに、その際のＧＵＩも、テレビジョン受像機１０で選択されたＡＶ機器２１〜２３の機器情報（例えば、ＡＶ機器が再生専用の記録機か、再生・録画用の記録機か等の個々のＡＶ機器の機器情報）に合わせて調整しながら生成することができるので、その設定操作も容易になる。
【０１２１】
また、ユーザが使用したいＡＶ機器２１〜２３の設置場所を考慮することなく、同じインタフェースで機器選択、操作を行うことができる。
【０１２２】
なお、上記説明では、ＩＥＥＥ１３９４インタフェースを備えたテレビジョン受像機を例に本発明の表示装置について説明したが、例えば、表示用モニター，パソコン，携帯電話端末装置，ＰＤＡ（携帯型情報端末装置）といったＩＥＥＥ１３９４インタフェースを備え表示手段を有したＡＶ機器であっても、本発明は適用可能である。
【図面の簡単な説明】
【０１２３】
【図１】本発明の一実施の形態によるテレビジョン受像機が接続された無線ＡＶ伝送システムの説明図である。
【図２】図１に示した無線ＡＶ伝送システムにおいて、本発明の一実施の形態によるテレビジョン受像機が接続されている第１の１３９４ネットワークの構成図である。
【図３】第１の１３９４ネットワークに接続されている第１の通信機の外部機器情報記憶部及び内部機器情報記憶部に備えられた管理テーブルの説明図である。
【図４】第１の通信機による機器認識と機器情報を内部及び外部機器情報記憶部の管理テーブルに登録するシーケンスを示す図である。
【図５】本実施の形態によるテレビジョン受像機により行われる、自身と同じ１３９４ネットワークに実際又は仮想的に接続されている他の１３９４機器それぞれの機器情報の取得のためのシーケンス図（フローチャート）である。
【図６】本実施の形態によるテレビジョン受像機が接続機器情報記憶部に取得した機器情報の説明図である。
【図７】本実施の形態のテレビジョン受像機による視聴する外部ＡＶ映像の選択画面である。
【符号の説明】
【０１２４】
１  無線ＡＶ伝送システム
１０  テレビジョン受像機
２１  第１のＡＶ機器
２２  第２のＡＶ機器
２３  第３のＡＶ機器
３１  第１の通信機
３２  第２の通信機
４１  第１のＩＥＥＥ１３９４バス
４２  第２のＩＥＥＥ１３９４バス
５１  第１の１３９４ネットワーク
５２  第２の１３９４ネットワーク
６１  ＩＥＥＥ１３９４以外の通信規格（ＩＥＥＥ８０２.１１）による通信区間
１０１  １３９４Ｉ／Ｆ部
１０２  ＡＶ情報受信部
１０３  ＧＵＩ画面合成部
１０４  出力表示部
１０５  機器情報送受信部
１０６  管理制御部
１０７  接続機器情報記憶部
１０８  リモコン受信部
１１０  リモコン操作器
１２０  管理テーブル
３０１  無線Ｉ／Ｆ部
３０２  プロトコル変換部
３０３  無線機器情報送受信部
３０４  管理制御部
３０５  内部機器情報記憶部
３０６  外部機器情報記憶部
３０７  １３９４機器情報送受信部
３０８  １３９４Ｉ／Ｆ部
３２０  管理テーブル
【図１】
2007049231.tif 000003
【図２】
2007049231.tif 000004
【図３】
2007049231.tif 000005
【図４】
2007049231.tif 000006
【図５】
2007049231.tif 000007
【図６】
2007049231.tif 000008
【図７】
2007049231.tif 000009